(57)【要約】【課題】  駆動装置に接続される駆動軸５に固着されて、駆動軸５の回転とともに回転して被攪拌物を吸入し吐出して攪拌する攪拌体１を提供する。【解決手段】  駆動装置に接続される駆動軸５に固着されて、駆動軸５の回転とともに回転して被攪拌物を吸入し吐出して攪拌する攪拌体１であり、駆動軸固着部２と中空ハウジング３と吸入口３１と吐出口３２を備えている。吸入口３１は中空ハウジング底部３４に１つまたは２つ以上形成されており、少なくともその１つを回転軸Ｓの軸心ＳＣが貫通している。また、中空ハウジング３の頂部の内面は吸入口３１の方向へ向かって先細りとなる略角錐状の凸部４が形成されている。【選択図】  図７
2017087202.tif 000002
【特許請求の範囲】
【請求項１】
駆動装置に接続される駆動軸に固着されて、駆動軸の回転とともに回転して被攪拌物を吸入し吐出して攪拌する攪拌体であって、
駆動軸と固着する駆動軸固着部と、
前記駆動軸固着部の下方に配設されて回転軸を中軸とする中空ハウジングとを備え、
前記中空ハウジングの底部には少なくともその１つを前記回転軸の軸心が貫通するように１つまたは２つ以上の吸入口が形成され、
前記中空ハウジングの側面には１つまたは２つ以上の吐出口が形成され、
前記中空ハウジングの頂部内面には前記吸入口の方向へ向かって先細りとなる略角錐状の凸部が形成されたことを特徴とする、前記攪拌体。
【請求項２】
前記凸部の側面が凹面に形成されたことを特徴とする、請求項１に記載の攪拌体。
【請求項３】
前記凸部の側面と前記吐出口とが連結して形成されたことを特徴とする、請求項１または請求項２に記載の攪拌体
【請求項４】
前記吸入口が羽根車状に形成されたことを特徴とする、請求項１から請求項３のいずれか一項に記載の攪拌体。
【請求項５】
請求項１から請求項４のいずれか一項に記載の攪拌体を固着した駆動軸と駆動装置とを備えることを特徴とする攪拌装置。
【発明の詳細な説明】
【技術分野】
【０００１】
本発明は、駆動装置に接続される駆動軸に固着されて、駆動軸の回転とともに回転して被攪拌物を吸入し吐出して攪拌する攪拌体およびこれを用いた攪拌装置に関し、より詳細には、駆動軸と固着する駆動軸固着部と、前記駆動軸固着部の下方に配設されて回転軸を中軸とする中空ハウジングとを備え、前記中空ハウジングの底部には少なくともその１つを前記回転軸の軸心が貫通するように１つまたは２つ以上の吸入口が形成され、前記中空ハウジングの側面には１つまたは２つ以上の吐出口が形成され、前記中空ハウジングの頂部内面には前記吸入口の方向へ向かって先細りとなる略角錐状の凸部が形成されたことを特徴とする前記攪拌体およびこれを用いた攪拌装置に関する。
【背景技術】
【０００２】
従来、２種類以上の流体を混合する場合、あるいは流体中に添加した固形物や粉末などを均一に分散させたりする場合、その手軽さから、比較的長尺の回転軸の先端の周囲に羽根型または円盤型の攪拌翼を取り付けたハンディタイプの攪拌機が用いられている。
【０００３】
例えば、攪拌翼を用いたハンディタイプの攪拌機の場合、先端に固定された攪拌翼を被攪拌物に浸漬しながらモーターを駆動し、回転軸の回転で攪拌翼が周囲の被攪拌物に横の回転を生じさせるものであり、これによって被攪拌物に縦方向の対流を生じさせて攪拌することができ、作業者が手軽に被攪拌物を攪拌することができるものである（例えば、特許文献１）。
【０００４】
しかしながら、特許文献１に開示されているような、いわゆる攪拌翼を用いたハンディタイプの攪拌機では、鋭利な翼端を持つ攪拌翼を高速で回転させることから危険を伴うこと、突起の多い攪拌翼を容器にぶつけてしまった場合やその翼が疲労破壊を起こした場合、被攪拌物が沈降物を含んでいるために攪拌翼を容器の底壁に接触させながら攪拌をする必要がある場合などでは、攪拌翼の先端や容器の一部が欠損してしまい、その欠損物が被攪拌物内に混入してしまうこと、攪拌翼は被攪拌物と衝突して被攪拌物を流動させることから、回転する攪拌翼を被攪拌物内に投入する際や被攪拌物内で攪拌翼の回転を開始する際などに、反動によって攪拌翼が振られることがあり、その結果、攪拌翼を容器に衝突させたり、被攪拌物を容器外に飛散させたりといった事態が生じていた。
【０００５】
そこで、翼を備えない攪拌用回転体を用いた攪拌機が各種提案されている（例えば、特許文献２や特許文献３、特許文献４）。特許文献２や特許文献３に開示されている攪拌用回転体は、回転軸に近い箇所に形成された吸入口と、回転体の最外周部に形成された吐出口と、これら吸入口と吐出口との間に連通して形成された流通路を備えているものである。また、特許文献４に開示されている攪拌用回転体の場合、半球状の大カップと、同じく半球状の小カップとが相互に中心を合わせられていて、それらが複数の半径方向羽根によって連結するとともに、小カップの開口と大カップの開口とが連通し、さらに小カップに形成されている垂直ダクトおよび傾斜開口とも連通していること、半径方向羽根には翼部が形成されていて、液体は半径方向羽根とその翼部によりガイドされていることから、大カップの内部に、内部に垂直ダクトが形成された小カップを、大カップの開口と小カップの開口、垂直ダクトおよび傾斜開口が連通して有していて、さらに大カップと小カップとの隙間には複数の半径方向羽根とそれに形成された翼部によって「複数の流通路」が設けられているものである。
【０００６】
これら特許文献２〜４に開示されている開転用攪拌体のような、翼を備えない攪拌用回転体を用いた攪拌機によれば、回転時に容器などにぶつけた場合でも攪拌用回転体の先端や容器の一部が欠損することが少なく、従って欠損物が被攪拌物に混入してしまう事態を抑制することが可能となる。
【０００７】
また、翼と流通路を備えない攪拌用回転体も提案されている（例えば、特許文献５）。
【先行技術文献】
【特許文献】
【０００８】
【特許文献１】特開平６−３９２６４号公報
【特許文献２】特許第４４１８０１９号公報
【特許文献３】特開２０１５−１３６６８２号公報
【特許文献４】特開昭５０−３７０６１号公報
【特許文献５】特開２０１５−４７５４０号公報
【発明の概要】
【発明が解決しようとする課題】
【０００９】
しかしながら、特許文献２〜４に開示されているような攪拌用回転体の場合、本体内に入り組んだ流通路を形成する必要があり、構造が複雑となるゆえに大量生産には不向きであるうえ、製作コストが高くなるという事情の他、流通路の容量の限界から大量の被攪拌物を攪拌することが困難であるという事情、さらには流通路に入り込んだ被攪拌物を洗浄しきれないといった事情があった。
【００１０】
また、例えば、施工現場におけるモルタル材料などの捏ね混ぜや塗料または防水剤の攪拌、あるいは調理現場における主材と副材の捏ね混ぜや水分と油分とのエマルション化（乳化）を行うなどの場合、上述した攪拌翼を用いた攪拌機や攪拌用回転体を用いた攪拌機では、被攪拌物を十分に混合できないか、あるいは混合できたとしても時間の経過とともに被攪拌物が分離を生じるという事情があった。
【００１１】
一方、特許文献５に開示されている攪拌用回転体の場合、中空ハウジングの頂部内面に備えられた羽根状あるいは凸状かつ羽根状の凸部では、中空ハウジング内に吸入された被攪拌物が攪拌されて吐出口から中空ハウジング外へ吐出されるという流れがスムーズではなく、特許文献２〜４に開示されている攪拌用回転体の場合と同様、被攪拌物を十分に混合できないか、あるいは混合できたとしても時間の経過とともに被攪拌物が分離を生じるという事情があった。
【００１２】
そこで本発明は、上述した問題点を解決するためになされたものであり、駆動装置に接続される駆動軸に固着されて、駆動軸の回転とともに回転して被攪拌物を吸入し吐出して攪拌する攪拌体であって、駆動軸と固着する駆動軸固着部と、前記駆動軸固着部の下方に配設されて回転軸を中軸とする中空ハウジングとを備え、前記中空ハウジングの底部には少なくともその１つを前記回転軸の軸心が貫通するように１つまたは２つ以上の吸入口が形成され、前記中空ハウジングの側面には１つまたは２つ以上の吐出口が形成されたことを特徴とする前記攪拌体、さらには前記吐出口が、前記中空ハウジングの回転する方向と略反対方向に向いて開口するよう形成されたことを特徴とする前記攪拌体、さらには前記中空ハウジングの頂部内面には前記吸入口の方向へ向かって凸部が形成されたことを特徴とする前記攪拌体、さらには前記凸部が先細りとなる略角錐状の凸部であることを特徴とする前記攪拌体、さらには前記凸部の側面が凹面に形成されたことを特徴とする前記攪拌体、さらには前記凸部の側面と前記吐出口とが連結して形成されたことを特徴とする前記攪拌体、さらには前記吐出口の孔全体が前記凸部の頂部から前記吸入口側に位置しないように形成されたことを特徴とする前記攪拌体、さらには前記凸部の側面と前記吐出口とが連結して形成されたことを特徴とする前記攪拌体、さらには前記凸部の頂部（略凸状に形成された前記中空ハウジングの頂部内面の前記吸入口側端部）が前記吸入口に届かない範囲において、前記中空ハウジングの頂部から前記凸部の頂部（前記略凸状に形成された前記中空ハウジングの頂部内面の前記吸入口側端部）までの長さが前記中空ハウジングの頂部における内径の１／６以上の長さとなるように前記凸部が（前記中空ハウジングの頂部内面が略凸状に）形成されたことを特徴とする前記攪拌体、前記中空ハウジングにおける前記中空ハウジングの頂部から前記吸入口までの長さが前記中空ハウジングの頂部における内径よりも長いことを特徴とする前記攪拌体、および前記吸入口が羽根車状（インペラ状）に形成されたことを特徴とする前記攪拌体、ならびにこれら攪拌体を用いた攪拌装置を提供することを目的とする。
【課題を解決するための手段】
【００１３】
本発明者は、鋭意研究の結果、回転軸を中軸とする中空ハウジングの底部に少なくともその１つを前記回転軸の軸心が貫通（回転軸の軸心を包含）するように１つまたは２つ以上の吸入口を形成するとともに、中空ハウジングの側面に１つまたは２つ以上の吐出口を形成して得られる攪拌体、さらには吐出口を中空ハウジングの回転する方向と反対方向に向いて開口するよう形成して得られる攪拌体を用いた攪拌装置により、例えば、施工現場におけるモルタル材料などの捏ね混ぜや塗料または防水剤の攪拌、あるいは調理現場における主材と副材の捏ね混ぜや水分と油分とのエマルション化（乳化）を行うなどの場合に、被攪拌物を十分に混合できることを見出し、さらには、中空ハウジングの頂部内面には吸入口の方向へ向かって凸部を形成（中空ハウジングの頂部内面を吸入口の方向へ向けて略凸状に形成）して得られる攪拌体を用いた攪拌装置、中空ハウジングの頂部内面には吸入口の方向へ向かって先細りとなる略角錐状の凸部を形成して得られる攪拌体を用いた攪拌装置、当該凸部の側面が凹面に形成して得られる攪拌体を用いた攪拌装置、吐出口の孔全体が当該凸部の頂部（当該略凸状の端部）から吸入口側に位置しないように形成して得られる攪拌体を用いた攪拌装置、当該凸部の側面と吐出口とが連結して形成して得られる攪拌体を用いた攪拌装置、当該凸部の頂部（当該略凸状の端部）が吸入口に届かない範囲において中空ハウジングの頂部から当該略凸状の端部までの長さが中空ハウジングの頂部における内径の１／６以上の長さとなるよう当該凸部が（当該中空ハウジングの頂部内面を略凸状に）形成して得られる攪拌体を用いた攪拌装置、中空ハウジングにおける中空ハウジングの頂部から吸入口までの長さが中空ハウジングの頂部における内径よりも長い攪拌体を用いた攪拌装置、あるいは吸入口が羽根車状（インペラ状）に形成された攪拌体を用いた攪拌装置により、十分に混合できた施工現場におけるモルタル材料、塗料または防水剤、エマルション化（乳化）した水分と油分が、時間が経過しても分離しないことを見出し、下記の各発明を完成した。
【００１４】
（１）駆動装置に接続される駆動軸に固着されて、駆動軸の回転とともに回転して被攪拌物を吸入し吐出して攪拌する攪拌体であって、駆動軸と固着する駆動軸固着部と、前記駆動軸固着部の下方に配設されて回転軸を中軸とする中空ハウジングとを備え、前記中空ハウジングの底部には少なくともその１つを前記回転軸の軸心が貫通（前記中空ハウジングの底部の少なくともその１つが前記回転軸の軸心を包含）するように１つまたは２つ以上の吸入口が形成され、前記中空ハウジングの側面には１つまたは２つ以上の吐出口が形成されたことを特徴とする前記攪拌体。
【００１５】
（２）前記吐出口が、前記中空ハウジングの回転する方向と略反対方向に向いて開口するよう形成されたことを特徴とする、（１）に記載の攪拌体。
【００１６】
（３）前記中空ハウジングの頂部内面には前記吸入口の方向へ向かって凸部が形成（前記中空ハウジングの頂部内面を前記吸入口の方向へ向けて略凸状に形成）されたことを特徴とする、（１）または（２）に記載の攪拌体。
【００１７】
（４）前記凸部が先細りとなる略角錐状の凸部であることを特徴とする、（３）に記載の攪拌体。
【００１８】
（５）前記凸部の側面が凹面に形成されたことを特徴とする、（３）または（４）に記載の攪拌体。
【００１９】
（６）前記吐出口の孔全体が前記凸部の頂部（略凸状に形成された前記中空ハウジングの頂部内面の前記吸入口側端部）から前記吸入口側に位置しないように形成されたことを特徴とする、（３）から（５）のいずれか一項に記載の攪拌体。
【００２０】
（７）前記凸部の側面と前記吐出口とが連結して形成されたことを特徴とする、（３）から（５）のいずれか一項に記載の攪拌体
【００２１】
（８）前記凸部の頂部（略凸状に形成された前記中空ハウジングの頂部内面の前記吸入口側端部）が前記吸入口に届かない範囲において、前記中空ハウジングの頂部から前記凸部の頂部（前記略凸状に形成された前記中空ハウジングの頂部内面の前記吸入口側端部）までの長さが前記中空ハウジングの頂部における内径の１／６以上の長さとなるように前記凸部が（前記中空ハウジングの頂部内面が略凸状に）形成されたことを特徴とする、（３）から（７）のいずれか一項に記載の攪拌体。
【００２２】
（９）前記中空ハウジングにおける前記中空ハウジングの頂部から前記吸入口までの長さが前記中空ハウジングの頂部における内径よりも長いことを特徴とする、（１）から（８）のいずれか一項に記載の攪拌体。
【００２３】
（１０）前記吸入口が羽根車状（インペラ状）に形成されたことを特徴とする、（１）から（９）のいずれか一項に記載の攪拌体。
【００２４】
（１１）（１）から（１０）のいずれか一項に記載の攪拌体を固着した駆動軸と駆動装置とを備えることを特徴とする攪拌装置。
【発明の効果】
【００２５】
本発明に係る攪拌体およびこれを用いた攪拌装置によれば、例えば、施工現場におけるモルタル材料などの捏ね混ぜや塗料または防水剤の攪拌、あるいは調理現場における主材と副材の捏ね混ぜや水分と油分とのエマルション化（乳化）を行うなどの場合に、被攪拌物を簡便かつ十分に混合しあるいはエマルション化（乳化）することができ、さらには当該施工現場におけるモルタル材料、塗料または防水剤、エマルション化（乳化）した水分と油分の、混合しあるいはエマルション化（乳化）した状態を長時間維持することができるうえ、その構造上、軽量な設計が可能なうえに流通路を備えていないため、各種現場での取り扱いや使用後の洗浄、後片付けが容易となる。また、構造が複雑ではないことから大量に生産することが可能であり、安価で市場に提供することができる。
【図面の簡単な説明】
【００２６】
【図１】本発明に係る攪拌体の第１実施形態を示す図である。
【図２】本発明に係る攪拌体の第１実施形態の吸入口の具体的な態様を示す図である。
【図３】本発明に係る攪拌体の第１実施形態の吸入口ではない態様の吸入口を示す図である。
【図４】本発明に係る攪拌体の第１実施形態における吐出口の異なる態様を示す図である。
【図５】本発明に係る攪拌体の第２実施形態〜第６実施形態を示す図である。図中、（２）は本発明に係る攪拌体の第２実施形態、（３）は本発明に係る攪拌体の第３実施形態、（４）は本発明に係る攪拌体の第４実施形態（５）は本発明に係る攪拌体の第５実施形態、（６）は本発明に係る攪拌体の第６実施形態をそれぞれ示す。
【図６】本発明に係る攪拌体の第７実施形態および第８実施形態を示す図である。図中、（７）は本発明に係る攪拌体の第７実施形態、（８）は本発明に係る攪拌体の第８実施形態をそれぞれ示す。
【図７】本発明に係る攪拌体の第８実施形態において中空ハウジング底部３４を外した状態を示す図である。
【図８】本発明に係る攪拌体の第８実施形態において中空ハウジング底部３４を外した状態の中空ハウジング底部３４を除いた部分を示す図である。
【図９】本発明に係る攪拌体の第３実施形態における吐出口の位置の比較を示す図である。
【図１０】本発明に係る攪拌体の第９実施形態を示す図である。
【図１１】本発明に係る攪拌体の第９実施形態の中空ハウジング頂部３３から凸部４の頂部４１（吸入口側端部４１）までの長さと中空ハウジング頂部３３における内径との関係を具体的に示す図である。
【図１２】本発明に係る攪拌体の第１０実施形態を示す図である。
【図１３】本発明に係る攪拌体の第２実施形態における被攪拌物の流れを示す図である。
【発明を実施するための形態】
【００２７】
先ず、本発明に係る攪拌体の第１実施形態について、図面を用いて詳細に説明する。本第１実施形態に係る攪拌体１は、駆動装置に接続される駆動軸５に固着されて、駆動軸５の回転とともに回転して被攪拌物を吸入し吐出して攪拌する攪拌体１であり、図１に示すように、駆動軸固着部２と中空ハウジング３と吸入口３１と吐出口３２を備えている。以下、各構成について詳細に説明する。
【００２８】
本第１実施形態において、駆動軸固着部２は、図１に示すように駆動装置（図示しない）に接続される駆動軸５に固着される。これにより駆動装置が作動すると駆動軸５が回転（回動）し、駆動軸固着部２を介して駆動軸５に固着された攪拌体も駆動軸５と同方向へ回転（回動）する。
【００２９】
また、本第１実施形態において、中空ハウジング３は、図１に示すように内部が中空（空洞）に形成されており、駆動軸固着部２の下方に回転軸Ｓが中軸となるよう配設（連設）されている。また、図１に示すように、中空ハウジング３の底部（中空ハウジング底部３４）には１つまたは２つ以上の吸入口３１が開口するように形成され、かつ、中空ハウジングの側面（中空ハウジング側面３５）には１つまたは２つ以上の吐出口３２が穿設、形成されていることから、中空ハウジング３は流通路を備えない。中空ハウジング３の材質は、本発明の特徴を損なわない範囲で当業者によって選択可能な材質であれば特に限定されないが、例えば、各種プラスチックや各種金属などを挙げることができる。
【００３０】
ここで、本第１実施形態において、吸入口３１は、図１に示すように中空ハウジング底部３４に１つまたは２つ以上形成されており、図２に示すように、少なくともその１つを回転軸Ｓの軸心ＳＣが貫通（少なくともその１つが回転軸Ｓの軸心ＳＣを包含）している。なお、本第１実施形態における吸入口３１の具体的な態様を図２に示し、本第１実施形態における吸入口３１ではない態様の吸入口を図３に示す。
【００３１】
また、本第１実施形態において、吐出口３２は、図４に示すように中空ハウジング３が回転軸Ｓを中軸として回転（回動）する回転（回動）方向ＲＤと略反対方向に向いて開口するよう、すなわち開口方向ＯＤとなるよう、中空ハウジング側面３５に１つまたは２つ以上形成されてもよい。
【００３２】
次に、本発明に係る攪拌体の第２実施形態〜第６実施形態について、図面を用いて詳細に説明する。なお、本第２実施形態〜第６実施形態のうち、上述した第１実施形態の構成と同一若しくは相当する構成については同一の符号を付して再度の説明を省略する。
【００３３】
本第２実施形態〜本第６実施形態において、中空ハウジング３の頂部（中空ハウジング頂部３３）の内面は、図５の（２）〜（６）に示すように吸入口３１の方向へ向かって凸部４が形成されている（吸入口３１の方向へ向けて略凸状に形成されている）。なお、本発明に係る凸部（略凸状に形成された中空ハウジング頂部３３の内面（頂部内面略凸部））４の形状は、本発明の特徴を損なわない範囲で当業者によって選択可能な、吸入口３１の方向へ向いた略凸状の形状であれば特に限定されないが、図５の（２）〜（６）に示すように、本第２実施形態のような、円柱を斜めに切断したような形状であって吸入口３１方向にテーパー状の略凸状形状、本第３実施形態のような、円柱の一方の底面中心から２方向へ斜めに切断したような形状であって吸入口３１方向にテーパー状の略凸状形状、本第４実施形態や本第５実施形態のような、円柱の一方の底面中心から４方向へ斜めに切断したような形状であって吸入口３１方向にテーパー状の略凸状形状、すなわち吸入口３１の方向へ向かって先細りとなる略四角錐形状、本第６実施形態のような、円柱の一方の底面中心から３方向へ斜めに切断したような形状、すなわち吸入口３１の方向へ向かって先細りとなる略三角錐形状であって吸入口３１方向にテーパー状の形状に十字の形状を組み合わせた略凸状形状とすることができる。
【００３４】
なお、本発明において、凸部４の形状と吐出口３２の数との関係は特に限定されず、例えば本第４実施形態のように、凸部４の形状が、上述した円柱の一方の底面中心から４方向へ斜めに切断したような形状であって吸入口３１方向にテーパー状の略凸状形状、すなわち吸入口３１の方向へ向かって先細りとなる略四角錐形状かつ吐出口３２の数が４つという態様に対し、本第５実施形態のように、凸部４の形状が本第４実施形態と同様の略凸状形状、すなわち吸入口３１の方向へ向かって先細りとなる略四角錐形状かつ吐出口３２の数が３つという態様でもよい。
【００３５】
次に、本発明に係る攪拌体の第７実施形態および第８実施形態について、図面を用いて詳細に説明する。なお、本第７実施形態および第８実施形態のうち、上述した第１実施形態の構成と同一若しくは相当する構成については同一の符号を付して再度の説明を省略する。
【００３６】
本第７実施形態および本第８実施形態において、中空ハウジング３の頂部（中空ハウジング頂部３３）の内面には、図６の（７）および（８）に示すように、それぞれ、吸入口３１の方向へ向かって先細りとなる略三角錐状（図６の（７））または略四角錐状（図６の（８））の凸部４が形成されている。
【００３７】
また、本第７実施形態および本第８実施形態において、凸部４の側面は、図７および図８に示すように、凹面に形成されてもよい。
【００３８】
また、本第７実施形態および本第８実施形態において、吸入口３１は、図７および図８に示すように、羽根車状（インペラ状）に形成されてもよい。
【００３９】
また、本第２実施形態〜本第８実施形態において、図９の（Ａ）〜（Ｃ）に示すように
１つまたは２つ以上の吐出口３２のそれら孔全体が、凸部４の頂部４１（略凸状に形成された中空ハウジング頂部３３の内面すなわち頂部内面略凸部４の吸入口側端部４１）から吸入口３１側に位置しない（穿設されない）よう、吐出口３２が中空ハウジング側面３５に１つまたは２つ以上形成されていてもよい。すなわち、図９の（Ａ）〜（Ｃ）に示すように、各々の吐出口３２の孔全体が凸部４の頂部４１（吸入口側端部４１）から吸入口３１側の領域（ＩＳ）に位置しない（穿設されない）ように、換言すれば、中空ハウジング頂部３３から凸部４の頂部４１（頂部内面略凸部４の吸入口側端部４１）までの長さＤ１と、中空ハウジング頂部３３から最も吸入口３１側にある吐出口３２までの長さＤ２との関係がＤ１≧Ｄ２となるように、図９の（Ｄ）、（Ｅ）のようにＤ１＜Ｄ２とならないように、吐出口３２が中空ハウジング側面３５に１つまたは２つ以上形成されてもよい。
【００４０】
次に、本発明に係る攪拌体の第９実施形態について、図面を用いて詳細に説明する。なお、本第９実施形態のうち、上述した第１実施形態〜第８実施形態の構成と同一若しくは相当する構成については同一の符号を付して再度の説明を省略する。
【００４１】
本第９実施形態において、凸部（頂部内面略凸部）４は、図１０に示すように凸部４の頂部４１（頂部内面略凸部４の吸入口側端部４１）が吸入口３１に届かない範囲において、中空ハウジング頂部３３から凸部４の頂部４１（吸入口側端部４１）までの長さが中空ハウジング頂部３３における内径の１／６以上の長さとなるよう形成されている。
【００４２】
すなわち、本第９実施形態において、凸部（頂部内面略凸部）４は、図１１に示すように凸部４の頂部４１（吸入口側端部４１）から吸入口３１のＩＳの範囲において、中空ハウジング頂部３３から凸部４の頂部４１（吸入口側端部４１）までの長さＤ１すなわち凸部（頂部内面略凸部）４の高さＨ１が、中空ハウジング頂部３３における内径Ｃの１／６以上の長さとなる（Ｄ１＝Ｈ１≧Ｃ／６）よう形成されているのである。
【００４３】
次に、本発明に係る攪拌体の第１０実施形態について、図面を用いて詳細に説明する。なお、本第１０実施形態のうち、上述した第１実施形態〜第９実施形態の構成と同一若しくは相当する構成については同一の符号を付して再度の説明を省略する。
【００４４】
本第１０実施形態において、中空ハウジング３は、図１２に示すように中空ハウジング頂部３３から吸入口３１までの長さＤ３、すなわち中空ハウジング３の高さＨ２が中空ハウジング頂部３３における内径Ｃよりも長くなる（Ｄ３＝Ｈ２＞Ｃ）ように形成されている。
【００４５】
次に、本発明に係る攪拌装置（図示しない）について説明する。本発明に係る攪拌装置は、上述した本第１実施形態〜本第１０実施形態を例とした攪拌体１を固着した駆動軸５と駆動装置を備えている。すなわち、本発明に係る攪拌装置は、本発明に係る攪拌体を固着した駆動軸と駆動装置とを備えていればよく、例えば、本発明に係る攪拌体の内部に羽根（翼）や仕切り板などを備えていてもよい。
【００４６】
次に、本発明に係る攪拌体およびこれを用いた攪拌装置の作用について、本第８実施形態と関連する図面とを用いて説明する。
【００４７】
先ず、攪拌体１を固着した駆動軸５を駆動装置（図示しない）に接続して攪拌装置（図示しない）とする。次に、駆動装置（図示しない）を駆動させ、駆動軸５を介して攪拌体１を回転（回動）させる。
【００４８】
回転（回動）した攪拌体１は吸入口３１から被攪拌物を中空ハウジング３内へ吸入する。吸入された被攪拌物は、図１３に示すように、渦巻き状（右巻きか左巻かを問わない）の被攪拌物の流れＦを形成して攪拌される。渦巻き状の流れを形成した被攪拌物は、その一部が攪拌されながら吐出口３２から中空ハウジング３外へ吐出されるが、図１３に示すように、その残りは渦を巻きながら中空ハウジング３内を対流し、吐出口３２から中空ハウジング３外へ吐出されるか、あるいは再び渦を巻きながら中空ハウジング３内を対流するという被攪拌物の流れＦを形成すると考えられている。
【００４９】
また、図４に示すような、吐出口３２が、中空ハウジング３の回転（回動）方向ＲＤの略反対方向に相当する開口方向ＯＤに向いて開口するよう、中空ハウジング側面３５に１つまたは２つ以上形成されている場合は、吐出口３２から中空ハウジング３外への吐出の勢いが増すと考えられており、結果として被攪拌物の被攪拌度は増大し、例えば、被攪拌物が施工現場におけるモルタル材料や塗料または防水剤、あるいは調理現場における主材と副材や水分と油分などの場合でも、十分に混合しあるいはエマルション化（乳化）することができる。
【００５０】
また、図５の（２）〜（６）ならびに図６の（７）および（８）に示すような、凸部（頂部内面略凸部）４が形成されている攪拌体１においては、渦巻き状の被攪拌物の流れＦがより勢いを増すと考えられ、被攪拌物の被攪拌度合いがより増大し、上述した被攪拌物が施工現場におけるモルタル材料や塗料または防水剤、あるいは調理現場における主材と副材や水分と油分などの場合に十分に混合しあるいはエマルション化（乳化）することができるのみならず、これらが混合しあるいはエマルション化（乳化）した状態を長時間維持することができる。
【００５１】
また、図６〜図８に示すように、中空ハウジング３の頂部内面には吸入口３１の方向へ向かって先細りとなる略角錐状の凸部（頂部内面略凸部）４が形成されている攪拌体１においては、渦巻き状の被攪拌物の流れＦがよりさらに勢いを増すと考えられ、被攪拌物の被攪拌度合いがよりさらに増大し、上述した被攪拌物が施工現場におけるモルタル材料や塗料または防水剤、あるいは調理現場における主材と副材や水分と油分などの場合に十分に混合しあるいはエマルション化（乳化）することができることはもちろんのこと、これらが混合しあるいはエマルション化（乳化）した状態をより長時間維持することができる。
【００５２】
また、図７および図８に示すように、吸入口３１の方向へ向かって先細りとなる略角錐状の凸部（頂部内面略凸部）４の側面が凹面に形成されている攪拌体１、図７および図８に示すように、吸入口３１の方向へ向かって先細りとなる略角錐状の凸部（頂部内面略凸部）４の側面と吐出口３２とが連結して形成されている攪拌体１、あるいは図７に示すように、吸入口３１が羽根車状（インペラ状）に形成されている攪拌体１においては、渦巻き状の被攪拌物の流れＦがより極めて勢いを増すと考えられ、被攪拌物の被攪拌度合いが顕著に増大し、上述した被攪拌物が施工現場におけるモルタル材料や塗料または防水剤、あるいは調理現場における主材と副材や水分と油分などの場合に速やかかつ十分に混合しあるいはエマルション化（乳化）することができ、これらが混合しあるいはエマルション化（乳化）した状態を極めて長時間維持することができる。
【００５３】
また、図９の（Ａ）〜（Ｃ）に示すような、凸部４の頂部４１（吸入口側端部４１）から吸入口３１側の領域（ＩＳ）に位置しない（穿設されない）よう各々の吐出口３２の孔全体が形成されている攪拌体１においては、渦巻き状の被攪拌物の流れＦがさらに勢いを増すと考えられ、被攪拌物の被攪拌度合いがさらに増大し、上述した被攪拌物が施工現場におけるモルタル材料や塗料または防水剤、あるいは調理現場における主材と副材や水分と油分などの場合に十分に混合しあるいはエマルション化（乳化）することができるのみならず、これらが混合しあるいはエマルション化（乳化）した状態をより長時間維持することができる。
【００５４】
さらに、図１１に示すような、凸部４の頂部４１（吸入口側端部４１）から吸入口３１のＩＳの範囲において、中空ハウジング頂部３３から凸部４の頂部４１（吸入口側端部４１）までの長さＤ１（凸部（頂部内面略凸部）４の高さＨ１）が、中空ハウジング頂部３３における内径Ｃの１／６以上の長さとなるよう凸部（頂部内面略凸部）４が形成されている攪拌体１や、図１２に示すように、中空ハウジング頂部３３から吸入口３１までの長さＤ３（中空ハウジング３の高さＨ２）が中空ハウジング頂部３３における内径Ｃよりも長くなるように中空ハウジング３が形成されている攪拌体１においてもまた、渦巻き状の被攪拌物の流れＦがよりさらに勢いを増すと考えられ、被攪拌物の被攪拌度合いがよりさらに増大し、上述した被攪拌物が施工現場におけるモルタル材料や塗料または防水剤、あるいは調理現場における主材と副材や水分と油分などの場合に十分に混合しあるいはエマルション化（乳化）することができるのみならず、これらが混合しあるいはエマルション化（乳化）した状態をよりさらに長時間維持することができる。
【００５５】
以上のような本第１実施形態〜本第１０実施形態の攪拌体１およびこれを用いた攪拌装置によれば、以下の効果を得ることができる。
１．例えば、施工現場におけるモルタル材料などの捏ね混ぜや塗料または防水剤の攪拌、あるいは調理現場における主材と副材の捏ね混ぜや水分と油分とのエマルション化（乳化）を行うなどの場合に、被攪拌物を簡便かつ十分に混合しあるいはエマルション化（乳化）することができる。
２．上述した施工現場におけるモルタル材料、塗料または防水剤、エマルション化（乳化）した水分と油分の、混合しあるいはエマルション化（乳化）した状態を長時間維持することができる。
３．その構造上、軽量な設計が可能なため、各種現場での取り扱いが容易となる。
４．流通路を備えていない構造であるため、使用後の洗浄、後片付けが容易となる。
５．構造が複雑ではないことから大量に生産することが可能であり、安価で市場に提供することができる。
【００５６】
なお、本発明に係る攪拌体およびこれを用いた攪拌装置は、上述した実施形態に限定されるものではなく、適宜変更することができる。
【００５７】
例えば、上述の通り、本発明に係る攪拌体の内部に羽根（翼）や仕切り板などを配設してもよい。
【００５８】
以下、本発明に係る攪拌体およびこれを用いた攪拌装置について、実施例に基づいて説明する。なお、本発明の技術的範囲は、これらの実施例によって示される特徴に限定されない。
【実施例】
【００５９】
本第１実施形態、本第２実施形態、本第３実施形態、本第４実施形態、本第７実施形態、本第８実施形態、本第９実施形態および本第１０実施形態の攪拌体１を備えた攪拌装置を用いて、油と水のエマルション化（乳化）の攪拌度合いおよびそのエマルション化（乳化）した状態の持続性について比較検討した。
【００６０】
水に青色の着色を施してガラス製の容器に収容し、これに油を注ぎ込んで二層化させたものを６つ用意し、本第１実施形態、本第２実施形態、本第３実施形態、本第４実施形態、本第７実施形態、本第８実施形態、本第９実施形態および本第１０実施形態の攪拌体１を備えた攪拌装置を用いてそれぞれ攪拌した。
【００６１】
その結果、本第１実施形態の攪拌体１を備えた攪拌装置を用いて攪拌した場合、３０秒程度で混合ないしエマルション化（乳化）することができたが、時間の経過とともに水と油が分離してしまった。一方、本第２実施形態、本第３実施形態、本第４実施形態、本第７実施形態、本第８実施形態、本第９実施形態および本第１０実施形態の攪拌体１を備えた攪拌装置を用いて攪拌した場合、それぞれ１８秒、１４秒、１０秒、６秒、５秒、７秒、６秒程度でエマルション化（乳化）することができ、その後放置しても水と油に分離せず、当該エマルション化（乳化）した状態を維持することができた。
【符号の説明】
【００６２】
１    攪拌体
２    駆動軸固着部
３    中空ハウジング
４    凸部（頂部内面略凸部）
５    駆動軸
３１  吸入口
３２  吐出口
３３  中空ハウジング頂部
３４  中空ハウジング底部
３５  中空ハウジング側面
４１  凸部の頂部（吸入口側端部）
Ｃ    中空ハウジング頂部３３における内径
Ｄ１  中空ハウジング頂部３３から吸入口側端部４１までの長さ
Ｄ２  中空ハウジング頂部３３から吐出口３２までの長さ
Ｄ３  中空ハウジング頂部３３から吸入口３１までの長さ
Ｆ    被攪拌物の流れ
Ｈ１  凸部（頂部内面略凸部）の高さ
Ｈ２  中空ハウジング３の高さ
ＩＳ  吸入口側端部４１から吸入口３１側
ＯＤ  開口方向
ＲＤ  回転（回動）方向
Ｓ    回転軸
ＳＣ  軸心
【図１】
2017087202.tif 000003
【図２】
2017087202.tif 000004
【図３】
2017087202.tif 000005
【図４】
2017087202.tif 000006
【図５】
2017087202.tif 000007
【図６】
2017087202.tif 000008
【図７】
2017087202.tif 000009
【図８】
2017087202.tif 000010
【図９】
2017087202.tif 000011
【図１０】
2017087202.tif 000012
【図１１】
2017087202.tif 000013
【図１２】
2017087202.tif 000014
【図１３】
2017087202.tif 000015
【手続補正書】
【提出日】平成28年12月7日(2016.12.7)
【手続補正１】
【補正対象書類名】特許請求の範囲
【補正対象項目名】全文
【補正方法】変更
【補正の内容】
【特許請求の範囲】
【請求項１】
駆動装置に接続される駆動軸に固着されて、駆動軸の回転とともに回転して被攪拌物を吸入し吐出して攪拌する攪拌体であって、
駆動軸と固着する駆動軸固着部と、
前記駆動軸固着部の下方に配設されて回転軸を中軸とする中空ハウジングとを備え、
前記中空ハウジングの底部には少なくともその１つを前記回転軸の軸心が貫通するように１つまたは２つ以上の吸入口が形成され、
前記中空ハウジングの側面には１つまたは２つ以上の吐出口が形成され、
前記中空ハウジングの頂部内面が前記吸入口の方向へ向かって先細りとなる略角錐形状の凸状に形成され、
前記略角錐形状の凸状に形成された凸部の側面は凹面に形成されるとともに前記略角錐形状の凸状に形成された凸部の側面と前記吐出口とが連結して形成されたことを特徴とする、前記攪拌体。
【請求項２】
前記吸入口が羽根車状に形成されたことを特徴とする、請求項１に記載の攪拌体。
【請求項３】
請求項１または請求項２に記載の攪拌体を固着した駆動軸と駆動装置とを備えることを特徴とする攪拌装置。